(57)【要約】  【課題】  本発明は、操作性を向上した光学情報読取装置を提供する。  【解決手段】 光学的情報に光を照射する投光部と、前記光学的情報で反射された光を受光して電気信号に変換するセンサ部と、前記センサ部からの信号を復号する復号部と、前記復号部で復号された情報を記憶する記憶部と、前記記憶部に記憶されている情報に基づいて前記光学的情報の読み取りができたか否かを判定する判定部と、前記投光部からの光の照射開始を指示する照射開始入力部と、前記判定部を判定可能状態とする判定開始入力部と、前記照射開始入力部あるいは前記判定開始入力部の入力に基づいて前記投光部が照射する光の照射状態を制御する制御部とを備え、前記判定開始入力部への入力に基づいて前記判定部により前記光学的情報の読み取りができたか否かの判定を行い、読み取りができた場合は読み取りを終了する。【選択図】  図１                                                                 
2005165803.tif 000002
【特許請求の範囲】
【請求項１】
光学的情報に光を照射する投光部と、前記光学的情報で反射された光を受光して電気信号に変換するセンサ部と、前記センサ部からの信号を復号する復号部と、前記復号部で復号された情報を記憶する記憶部と、前記記憶部に記憶されている情報に基づいて前記光学的情報の読み取りができたか否かを判定する判定部と、前記投光部からの光の照射開始を指示する照射開始入力部と、前記判定部を判定可能状態とする判定開始入力部と、前記照射開始入力部あるいは前記判定開始入力部の入力に基づいて前記投光部が照射する光の照射状態を制御する制御部とを備え、前記判定開始入力部への入力に基づいて前記判定部により前記光学的情報の読み取りができたか否かの判定を行い、読み取りができた場合は読み取りを終了する光学的情報読取装置。
【請求項２】
判定開始入力部への入力が有る場合と無い場合とで投光部の照射状態を変える請求項１記載の光学的情報読取装置。
【請求項３】
判定開始入力部へ入力が無い場合には、投光部は間欠的に光を照射する請求項２記載の光学的情報読取装置。
【請求項４】
記憶部は復号部で復号された複数個の情報を記憶し、判定部は前記記憶部に記憶されている複数個の情報を照合して光学的情報の読み取りができたか否かを判定する請求項１から３のいずれか１項に記載の光学的情報読取装置。
【請求項５】
判定部は、判定開始入力部への入力が無い時に記憶部に記憶した情報と、前記判定開始入力部への入力が有った後に前記記憶部に記憶した情報とを照合して光学的情報の読み取りができたか否かを判定する請求項４記載の光学的情報読取装置。
【請求項６】
光学的情報に光を照射する投光部と、前記光学的情報で反射された光を受光して電気信号に変換するセンサ部と、前記センサ部からの信号を復号する復号部と、前記復号部で復号された複数個の情報を記憶する記憶部と、前記記憶部に記憶されている複数個の情報を照合して前記光学的情報の読み取りができたか否かを判定する判定部と、前記投光部からの光の照射開始を指示する照射開始入力部と、前記照射開始入力部への入力に基づいて前記投光部が照射する光の照射状態を制御する制御部とを備え、前記判定開始入力部への入力の後所定時間が経過する前と後とで前記投光部の照射状態を変える光学的情報読取装置。
【請求項７】
所定時間が経過するまでは投光部は間欠的に光を照射する請求項６記載の光学的情報読取装置。
【請求項８】
光学的情報はバーコードであり、投光部は１つのレーザ光源であり、前記投光部が光を間欠的に照射する状態において、前記レーザ光源が発するレーザ光により前記バーコードの一端から他端までを１回走査する間に、レーザ光の照射と非照射とを少なくとも１回は行う請求項３または７記載の光学的情報読取装置。
【請求項９】
複数の押下部を備え、各々一つの押下部が押下された場合には照射開始入力部への入力となり、複数の押下部が同時に押下された場合には判定開始入力部への入力となる請求項１から８のいずれか１項に記載の光学的情報読取装置。
【請求項１０】
少なくとも３つの異なる出力を行う１つの押下部を備え、前記押下部の第１の出力時には照射開始入力部および判定開始入力部への入力が無い状態であり、前記押下部の第２の出力時には前記照射開始入力部への入力状態となり、前記押下部の第３の出力時には前記判定開始入力部への入力状態となる請求項１から８のいずれか１項に記載の光学的情報読取装置。
【請求項１１】
光学的情報に光を照射する投光部と、前記光学的情報で反射された光を受光して電気信号に変換するセンサ部と、前記センサ部からの信号を復号する復号部と、前記復号部で復号された情報を記憶する記憶部と、前記記憶部に記憶されている情報に基づいて前記光学的情報の読み取りができたか否かを判定する判定部と、前記投光部からの光の照射開始を指示する照射開始入力部と、前記判定部を判定可能状態とする判定開始入力部と、前記照射開始入力部あるいは前記判定開始入力部の入力に基づいて前記投光部が照射する光の照射状態を制御する制御部とを備え光学的情報読取装置による光学的情報の読取方法であって、前記照射開始入力部への入力に基づいて光学的情報に光を照射して
読取対象となる光学的情報を特定するステップと、前記判定開始入力部の入力に基づいて前記記憶部に記憶されている情報により読み取りができたか否かを判定し読み取りができた場合には読み取りを終了するステップとからなる光学的情報の読取方法。
【発明の詳細な説明】
【技術分野】
【０００１】
本発明は、バーコードなどの光学情報を読み取る光学情報読取装置に関するものである。
【背景技術】
【０００２】
一般に光学情報読取装置は、読取口を光学情報に接触させて読み取る接触式と、読取口と光学情報との間に数センチの距離をおいて読み取る離し読み式とがある。
【０００３】
接触式は、読取口を光学情報に接触させること、および光学情報を読み取る範囲（以下、焦点距離という）が読取口近傍に限定されること、さらに投光部から照射される読取光は点灯または点滅しているため、光学情報と光学情報読取装置との位置決めが容易である。従って、１枚のシートに複数の光学情報が配置される場合でも、読み取りたい光学情報に読取口を接触させるだけで読み取りができるので、比較的操作が簡単である。
【０００４】
しかし、離し読み式は、読取口と光学情報との間に数センチの距離をおくこと、焦点距離が読取口から数センチから十数センチ離れた空間にあること、読取光は読取ボタンをＯＮしたとき照射されるので実際に読取光を照射しないと位置決めできない。さらに読取光は光学情報読取装置からの距離に依存して広がるので、読み取りたい光学情報の幅と読取光の幅とが最適になるように、読み取りたい光学情報と光学情報読取装置との距離や角度を相対的に決める必要があった。
【０００５】
この結果、１枚のシートに複数の光学情報が配置される場合、操作者は読取ボタンをＯＮして投光部から読取光を照射させ、読み取りたい光学情報の幅と読取光の幅とが最適になるように距離や角度の位置決め操作をしていた。
【０００６】
位置決め操作のやり方としては接触式の２次元コードリーダではあるが次のような構成が提案されている。位置決め用の透視窓と、ハーフミラーと、位置決め用投光部と読取用投光部のふたつの投光部を設け、読取ボタンを半押しと全押しの２モードスイッチとし、読取ボタン半押し状態ではデーコード処理を実施せず位置決め用投光部から位置決め光を照射し、ハーフミラーを透過してくる位置決め光の反射光を位置決め用の透視窓で確認して位置決めを完了し、その後読取ボタンが全押し状態になったときに読取用投光部から読取光を照射してデーコード処理を実施することにより光学情報の読取を完了する方法が知られている（例えば、特許文献１参照）。
【特許文献１】特開平９−２３７３１５号公報（第１図）
【発明の開示】
【発明が解決しようとする課題】
【０００７】
しかしながら、操作者による位置決めは、操作者が不慣れで操作を誤ると、読取光を読み取りたい光学情報以外の光学情報に照射してスキャンしていまい、その光学情報を読み取ってしまうことにより、操作者が読み取りたい光学情報以外のデータが入力されてしまうという問題や、１枚のシートに配置できる光学情報の数を制限しなければならないといった問題があった。
【０００８】
さらに、上記接触式の２次元コードリーダの構成では、位置決め用の透視窓を通して位置あわせするので、離し読み式では位置決めがやり難くなる。
【０００９】
また、位置決め用の透視窓と、ハーフミラーと、位置決め用投光部と、読取用投光部を設けているので、製造コストのアップにつながるという問題点があった。
【００１０】
本発明は、上記課題に鑑み、操作性を向上した光学情報読取装置を提供することを目的とする。
【００１１】
またその他、読取光として使用されるレーザ光は目の負担になると言われており、レーザ光の照射時間を短くして操作者の負担を軽減することを目的とする。
【課題を解決するための手段】
【００１２】
上記目的を達成するために、本発明の光学情報読取装置は、光学的情報に光を照射する投光部と、前記光学的情報で反射された光を受光して電気信号に変換するセンサ部と、前記センサ部からの信号を復号する復号部と、前記復号部で復号された情報を記憶する記憶部と、前記記憶部に記憶されている情報に基づいて前記光学的情報の読み取りができたか否かを判定する判定部と、前記投光部からの光の照射開始を指示する照射開始入力部と、前記判定部を判定可能状態とする判定開始入力部と、前記照射開始入力部あるいは前記判定開始入力部の入力に基づいて前記投光部が照射する光の照射状態を制御する制御部とを備え、前記判定開始入力部への入力に基づいて前記判定部により前記光学的情報の読み取りができたか否かの判定を行い、読み取りができた場合は読み取りを終了するものである。
【００１３】
また、本発明の光学情報読取装置は、判定開始入力部への入力が有る場合と無い場合とで投光部の照射状態を変えるものである。
【００１４】
また、本発明の光学情報読取装置は、判定開始入力部へ入力が無い場合には、投光部は間欠的に光を照射するものである。
【００１５】
また、本発明の光学情報読取装置は、記憶部は復号部で復号された複数個の情報を記憶し、判定部は前記記憶部に記憶されている複数個の情報を照合して光学的情報の読み取りができたか否かを判定するものである。
【００１６】
また、本発明の光学情報読取装置は、判定部は、判定開始入力部への入力が無い時に記憶部に記憶した情報と、前記判定開始入力部への入力が有った後に前記記憶部に記憶した情報とを照合して光学的情報の読み取りができたか否かを判定するものである。
【００１７】
また、本発明の光学情報読取装置は、光学的情報に光を照射する投光部と、前記光学的情報で反射された光を受光して電気信号に変換するセンサ部と、前記センサ部からの信号を復号する復号部と、前記復号部で復号された複数個の情報を記憶する記憶部と、前記記憶部に記憶されている複数個の情報を照合して前記光学的情報の読み取りができたか否かを判定する判定部と、前記投光部からの光の照射開始を指示する照射開始入力部と、前記照射開始入力部への入力に基づいて前記投光部が照射する光の照射状態を制御する制御部とを備え、前記判定開始入力部への入力の後所定時間が経過する前と後とで前記投光部の照射状態を変えるものである。
【００１８】
また、本発明の光学情報読取装置は、所定時間が経過するまでは投光部は間欠的に光を照射するものである。
【００１９】
また、本発明の光学情報読取装置は、光学的情報はバーコードであり、投光部は１つのレーザ光源であり、前記投光部が光を間欠的に照射する状態において、前記レーザ光源が発するレーザ光により前記バーコードの一端から他端までを１回走査する間に、レーザ光
の照射と非照射とを少なくとも１回は行うものである。
【００２０】
また、本発明の光学情報読取装置は、複数の押下部を備え、各々一つの押下部が押下された場合には照射開始入力部への入力となり、複数の押下部が同時に押下された場合には判定開始入力部への入力となるものである。
【００２１】
また、本発明の光学情報読取装置は、少なくとも３つの異なる出力を行う１つの押下部を備え、前記押下部の第１の出力時には照射開始入力部および判定開始入力部への入力が無い状態であり、前記押下部の第２の出力時には前記照射開始入力部への入力状態となり、前記押下部の第３の出力時には前記判定開始入力部への入力状態となるものである。
【００２２】
また、光学的情報の読取方法は、光学的情報に光を照射する投光部と、前記光学的情報で反射された光を受光して電気信号に変換するセンサ部と、前記センサ部からの信号を復号する復号部と、前記復号部で復号された情報を記憶する記憶部と、前記記憶部に記憶されている情報に基づいて前記光学的情報の読み取りができたか否かを判定する判定部と、前記投光部からの光の照射開始を指示する照射開始入力部と、前記判定部を判定可能状態とする判定開始入力部と、前記照射開始入力部あるいは前記判定開始入力部の入力に基づいて前記投光部が照射する光の照射状態を制御する制御部とを備え光学的情報読取装置による光学的情報の読取方法であって、前記照射開始入力部への入力に基づいて光学的情報に光を照射して読取対象となる光学的情報を特定するステップと、前記判定開始入力部の入力に基づいて前記記憶部に記憶されている情報により読み取りができたか否かを判定し読み取りができた場合には読み取りを終了するステップとからなるものである。
【発明の効果】
【００２３】
以上のように本発明によると、光学情報読取装置を読取位置決めの操作性を向上させるとともに、レーザ光の照射時間を短くすることで操作者の負担を軽減させるという多大な効果を奏する。
【００２４】
また、レーザ光の照射時間を短くすることで電池の消耗を低減させるので、１回の充電で使用できる時間をのばすという効果もある。
【発明を実施するための最良の形態】
【００２５】
（実施の形態１）
以下、本発明の一実施の形態に係る光学情報読取装置について図面を参照しながら説明する。図１において、１は本発明の光学情報読取装置、１１は、光学情報読取装置１全体を制御する制御部であり、例えばＣＰＵを使用する。１２は、光学情報に照射する読取光を照射する投光部であり、例えばレーザ光源を使用する。
【００２６】
１３は、投光部１２が照射した読取光を外部に導出するとともに読取光の照射方向を変動させる駆動部であり、例えばミラーとモータを使用しミラーをモータで回転させることにより読取光の照射方向を変動させる。なお、駆動部の動作については後に図４を用いて説明する。
【００２７】
１４は、操作情報などを入力するキー入力部であり、例えばキーボードを使用する。１５は、操作案内や読取結果などを表示する表示部であり、例えば液晶表示装置を使用する。１６は、外部機器と通信する通信部あり、例えば赤外線通信や無線通信を行う。
【００２８】
１８は、光学情報を読み取る時に押下する読取ボタンであり、例えばタップスイッチを使用する。操作者は光学情報読取装置１で光学情報を読み取る時、読取ボタン１８を押下した状態で光学情報を読み取る位置に保持する。読取ボタン１８を押下することで、読取
処理が実行され、また、後述する判定部２３が判定処理を開始し読取結果が外部機器に出力される。１９は、光学情報において反射された読取光を受光する受光部であり、例えばフォトセンサを使用する。受光部１９は反射光を受光するとパルス信号を出力する。
【００２９】
２０は、制御プログラムやデータを一時的に記憶する記憶部であり、例えばＲＯＭやＲＡＭを使用することができ、復号部２２からの光学情報を復号した情報を入力して記憶する。また、記憶部２０は直近の情報を複数記憶することができ、この記憶は読取処理に従い順次複数記憶され、読取ボタン１８を押下したときにクリアされる。２１は、時間監視のための信号を出力するタイマーであり、例えば時計ＩＣを使用する。
【００３０】
２２は、受光部１９からの電気信号に基づいて光学情報を復号する復号部である。復号部２２は復号結果が正常の場合、当該情報を記憶部２０に出力する。なお、光学情報は例えばチェックデジットを有しており、チェックデジットを検証することにより復号結果の正常または異常を確認できる。
【００３１】
２３は、記憶部２０に記憶されている情報群を照合して読み取りができたか否かを判定する判定部である。記憶部２０に記憶されている情報群がすべて一致したとき、判定結果として一致を出力する。なお、判定部２３で行う上記した情報群の照合について詳しく説明すると、記憶部２０には復号された情報が複数個記憶され、例えばこの復号された情報が３つある場合、判定部２３は記憶部２０に記憶されているこれら３つの情報を互いに比較し、これら３つの情報が全て一致した場合に、判定結果として一致を出力するものである。
【００３２】
２４は、電池（図示せず）の消耗度合いを検出する電池検出部であり、例えば電圧計を使用し、電池電圧を測定し予め決められている値を下回ったとき電池電圧低下信号を出力する。
【００３３】
図２は、光学情報読取装置の外観図を示す図であり、（ａ）は左側面図、（ｂ）は上面図、（ｃ）は右側面図である。
【００３４】
図２（ａ）において、光学情報読取装置１の下面には読取口３０が設けられており、読取光は読取口３０から光学情報に向けて照射される。図２（ｂ）において、光学情報読取装置１の右側面には読取ボタン１８が設けられており、操作者は光学情報読取装置１を右手で持ち、右手人差し指で読取ボタン１８を操作する。その他に光学情報読取装置１の上面には、キー入力部１４、表示部１５が設けられている。確定または確認を意味する確キーは、読取結果が正常である場合に押下する。訂キーは、読取結果が異常であり、再度読取を行う場合に押下する。
【００３５】
図３は、光学情報読取装置の読取状態を示す図であり、（ａ）は上面図、（ｂ）は左側面図である。図３（ａ）において、光学情報読取装置１の前方方向にはそれぞれ印刷幅の異なる光学情報４１、４２、４３が配置されている。読取光は光学情報読取装置１の前方方向にθ１の角度で扇状に照射される。
【００３６】
図３（ｂ）において、光学情報読取装置１の前面にはそれぞれ印刷幅の異なる光学情報４１、４２、４３がそれぞれ距離Ｌ１、Ｌ２、Ｌ３に配置されている。読取光は光学情報読取装置１の前方方向にθ０の角度で読取口３０から照射され、その反射光は読取口３０から入射する。
【００３７】
図３（ａ）、（ｂ）に示すように、操作者は光学情報読取装置１と光学情報４１、４２、４との距離を調整することで、印刷幅の異なる光学情報でも読み取ることができる。図
４は、読取光の照射状態を示す図であり、（ａ）は投光部１２と駆動部の上面図、（ｂ）同期信号と読取光の照射角度と投光部１２の制御のタイミングチャート図である。
【００３８】
図４（ａ）において、駆動部は、ミラー１３１とモータ（図示せず）により構成されており、ミラー１３１はモータの駆動力により矢印方向（時計回り）に回転する。投光部１２が照射した読取光は駆動部のミラー１３１で反射され開口部３０を経て外部に導出される。また、ミラー１３１をモータで回転させることにより、読取光の照射方向を左端（実線表記）から右端（点線表記）まで変動させる。なお、本実施の形態では、表面と裏面を有するミラー１３１を使用しているが、３面以上を有するミラーを使用してもよい。
【００３９】
図４（ｂ）において、上段の同期信号（左）は、読取光の照射角度が左端にあることを示すパルス信号である。上段の同期信号（右）は、読取光の照射角度が右端にあることを示すパルス信号である。読取光の照射角度に依存して、同期信号（左）と同期信号（右）がそれぞれ出力される。なお、同期信号の出力は、駆動部のモータの角度に基づいて出力してもよいし、読取口３０の左端と右端にフォトセンサなどの受光素子を配置して読取光を受光することにより出力してもよい。
【００４０】
中段のタイミングチャートは照射角度と時間の関係を示しており、読取光は時間ｔ０で左端から右端へ変動する。点線は、読取光をパルス状に照射する状態を示している。下段のタイミングチャートは、投光部１２の点灯と消灯の制御状態を示しており、点灯と消灯を繰り返すことにより読取光をパルス状に照射する。
【００４１】
本実施の形態では、デュティー率は読取光の点灯時間と消灯時間を合計した時間のうち点灯時間がしめる割合を示しており、略２分の１である。なお、図４においては、読取光が１回移動する間を分割してパルス状に照射しているが、例えば読取光が左端から右端まで移動する間を１カウントとし、奇数番目を点灯、偶数番目を消灯とすることでデュティー率を略２分の１としてもよい。
【００４２】
次に光学情報読取装置１の読取動作について、操作者が光学情報読取装置１を持ち上げてから光学情報の読取を完了し、外部機器に情報を出力するまでを説明する。図５は、光学情報読取装置の読取動作のタイミングチャートを示す図である。左列の項目から先に説明する。
【００４３】
フェーズ番号は、読取動作のフェーズを示す番号である。読取ボタンは、読取ボタン１８の状態を示し、押下された状態であればＯＮ、押下されていない状態であればＯＦＦである。
【００４４】
投光部は、投光部１２の点灯／消灯を示し、点灯状態であればＯＮ、消灯状態であればＯＦＦである。同期信号（左）は、駆動部が出力する信号であり、読取光の照射角が左端になったときＯＮとなり、左端以外ではＯＦＦである。
【００４５】
同期信号（右）は、駆動部が出力する信号であり、読取光の照射角が右端になったときＯＮとなり、右端以外ではＯＦＦである。受光部は、受光部１９の状態を示し、ＯＮであれば光学情報で反射された反射光を受光して電気信号に変換し、ＯＦＦであれば変換しない。復号部は、受光部１９からの電気信号に基づいて光学情報を復号し、光学情報として正しく読み取れているかを確認する。
【００４６】
復号結果は、復号部２２の確認結果を示し、正常は正しく読み取れている、異常は正しく読み取れていないことを示す。復号結果が正常のとき、復号した情報が記憶部２０に追加記憶される。記憶部２０は複数の情報を記憶でき、先入れ先出し方式で追加記憶する。
【００４７】
なお、本実施の形態では、３個の情報を記憶できるものとして説明する。
【００４８】
判定部２３は、記憶部２０に記憶されている複数の情報が互いに一致しているかを確認する。すべての情報が一致していれば一致を出力し、一致していなければ不一致を出力する。また、本実施の形態では判定部２３が一致のとき、表示部１５に情報を出力するものとする。
【００４９】
次にフェーズ番号順に従い、読取動作を説明する。フェーズ０は、光学情報読取装置１が光学情報の読取が可能であり、操作者の操作を待っている状態である。
【００５０】
読取ボタンは、ＯＦＦである。投光部は、ＯＦＦである。同期信号（左）は、ＯＦＦである。同期信号（右）は、ＯＦＦである。受光部は、ＯＦＦである。復号部は、ＯＦＦである。復号結果は、異常である。判定部は、不一致である。
【００５１】
フェーズ１は、操作者が光学情報読取装置１を右手で持ち、読取ボタン１８を操作する。なお、フェーズ１以降は、前フェーズから変化する部分を説明する。読取ボタンがＯＮとなる。読取ボタンのＯＮにより、投光部１２と駆動部と受光部１９と復号部２２が起動する。
【００５２】
フェーズ２は、操作者が読取ボタン１８を押下したまま、光学情報読取装置１を読取り位置に移動させ始める。駆動部が起動して同期信号がＯＮとなり、その後ＯＦＦとなる。同期信号（左）のＯＮと同期して、復号部がＯＦＦとなり投光部１２と受光部１９がＯＮとなる。投光部１２は、読取ボタン１８が押下された直後の数秒間は読取光を短いパルス状に照射する。短いパルス状とは、図４（ｂ）の下段のタイミングチャートに示すように読取光が左端から右端まで移動する間に点灯と消灯がそれぞれ少なくとも１回発生する状態を言う。
【００５３】
フェーズ３は、操作者が読取ボタン１８を押下したまま、光学情報読取装置１を読取り位置に移動させる。駆動部の同期信号（右）がＯＮとなり、その後ＯＦＦとなる。同期信号（右）のＯＮと同期して、復号部がＯＮとなり受光部１９がＯＦＦとなる。復号部はＯＮとなるが、投光部１２は読取光を短いパルス状に照射するので光学情報の全域から反射光を受光できないので復号結果は異常である。
【００５４】
なお、操作者が読取ボタン１８を押下したままの状態であれば、光学情報読取装置１はフェーズ２とフェーズ３を繰り返す。
【００５５】
その後、読取ボタン１８が押下された直後の数秒間が経過し、投光部１２は読取光を長いパルス状に照射する。長いパルス状とは、読取光が左端から右端まで移動する間は点灯を保持し、読取光が右端をすぎた後は消灯を保持する状態であり、これらを交互に繰り返す。点灯を保持するときは、光学情報の全域から反射光を受光することが可能となる。
【００５６】
フェーズ４は、操作者が光学情報読取装置１を読取位置に移動させ終わり、その位置に保持し、読取ボタン１８を押下している。駆動部の同期信号（左）のＯＮと同期して、復号部がＯＦＦとなり投光部１２と受光部１９がＯＮとなる。この時以降、光学情報の読取が可能となる。
【００５７】
フェーズ５は、操作者が光学情報読取装置１を読取位置に保持し、読取ボタン１８を押下している。同期信号（左）のＯＮと同期して、復号部がＯＮとなり投光部１２と受光部１９がＯＦＦとなる。フェーズ６は、操作者が光学情報読取装置１を読取位置に保持し、
読取ボタン１８を押下している。
【００５８】
同期信号（右）のＯＮと同期して、復号部がＯＦＦとなり投光部１２と受光部１９がＯＮとなる。復号結果は、正常となり復号した情報を記憶部２０に追加記憶する。フェーズ７とフェーズ９は、フェーズ５と同じ処理を実行する。また、フェーズ８とフェーズ１０は、フェーズ６と同じ処理を実行する。
【００５９】
フェーズ５とフェーズ６、フェーズ７とフェーズ８、フェーズ９とフェーズ１０の組み合わせを３回行うことにより、記憶部２０に３個の復号した情報が記憶される。フェーズ１０において、判定部が記憶部２０に記憶されている３個の復号した情報が一致しているかを確認し、すべての情報が一致していれば一致を出力する。判定部の一致しているという判定結果に連動して、記憶部２０に記憶されている復号された情報のうちの１つの情報が表示部１５に表示される。
【００６０】
フェーズ１１において、判定部の一致により、駆動部は同期信号（右）のＯＮと同期して停止する。この結果、同期信号（左）と同期信号（右）はＯＦＦを保持し、投光部と、受光部と、復号部もＯＦＦとなる。フェーズ１２は、操作者が読取ボタン１８を押下しない状態となる。フェーズ１３は、操作者が表示部１５の内容を確認し、読取結果が正しければ確キー、正しくなければ訂キーを押下する。確キーを押下することにより、情報が外部機器に出力される。
【００６１】
以上説明したように、本発明の光学情報読取装置１によれば、読取ボタン１８に連動して、投光部１２が照射する読取光をパルス状に照射することができる。
読取光をパルス状に照射することにより、読取ボタン１８を押下した直後の数秒間は、読取光をガイド光として使用することができる。また、読取ボタン１８を押下して直後の数秒間は短いパルス状とし、それ以降は長いパルス状とするので、読取ボタン１８が押下して直後の数秒間が経過したことが目視で認識できる。
【００６２】
さらに、投光部の点灯時間を短縮できるので、電池の消耗を減らすとともに操作者の目の負担を軽減することができ、デュティー率を略２分の１としているので、全点灯との差が明確になる。
【００６３】
なお、上記実施の形態では、読取ボタン１８を押下してから読取が完了するまで読取光をパルス状に照射しているが、読取ボタン１８が押下して直後の数秒間は読取光をパルス状に照射し、それ以降は読取光を常時点灯状態に保持してもよい。さらに、電池検出部２４の電池電圧低下信号に連動して、電池電圧低下信号が出力されていない場合は読取光を点灯状態に保持し、電池電圧低下信号が出力されている場合は読取光をパルス状に照射して電池の消耗を低減させることも可能である。
【００６４】
（実施の形態２）
本発明の光学情報読取装置について説明する。なお、実施の形態１と同じ内容の部分は説明を省略する。図６は、光学情報読取装置のブロック構成図を示す図である。
【００６５】
図６において、１は本発明の光学情報読取装置である。１１の制御部、１２の投光部、１３の駆動部、１４のキー入力部、１５の表示部、１６の通信部、１９の受光部、２０の記憶部、２１のタイマー、２２の復号部、２３の判定部は、実施の形態１と同じ内容の部分は説明を省略する。
【００６６】
１７は、光学情報読取装置１を光学情報を読み取る位置に移動させる時に押下する位置決めボタンであり、例えばタップスイッチを使用する。操作者が位置決めボタン１７を押
下することで読取光が照射され、操作者はこの読取光の照射面をみることで光学情報読取装置１を光学情報を読み取る位置に保持することができる。ただし、受光部１９以降の処理は起動しないので、復号処理は実行されない。
【００６７】
１８は、光学情報を読み取る時に押下する読取ボタンであり、例えばタップスイッチを使用する。操作者は光学情報読取装置１を光学情報を読み取る位置に保持した状態で読取ボタン１８を押下する。読取ボタン１８を押下することで、受光部１９以降の処理が起動し復号処理が実行され読取結果が外部機器に出力される。なお、読取ボタン１８を押下することで判定部２３が判定処理を開始する。
【００６８】
図７は、光学情報読取装置１の外観図を示す図であり、（ａ）は左側面図、（ｂ）は上面図、（ｃ）は右側面図である。図７（ａ）において、光学情報読取装置１の下面には読取口３０が設けられており、読取光は読取口３０から光学情報に向けて照射される。
【００６９】
図７（ｂ）において、光学情報読取装置１の左側面には位置決めボタン１７が設けられており、操作者は光学情報読取装置１を右手で持ち、右手親指で位置決めボタン１７を操作する。また、光学情報読取装置１の右側面には読取ボタン１８が設けられており、操作者は光学情報読取装置１を右手で持ち、右手人差し指で読取ボタン１８を操作する。その他に光学情報読取装置１の上面には、キー入力部１４、表示部１５が設けられている。確キーは、読取結果が正常である場合に押下する。訂キーは、読取結果が異常であり、再度読取を行う場合に押下する。
【００７０】
光学情報読取装置の読取状態および読取光の照射状態は、実施の形態１と同じなので説明を省略する。次に光学情報読取装置１の読取動作について、操作者が光学情報読取装置１を持ち上げてから光学情報の読取を完了し、外部機器に情報を出力するまでを説明する。
【００７１】
図８は、光学情報読取装置の読取動作のタイミングチャートを示す図である。左列の項目から先に説明する。フェーズ番号は、読取動作のフェーズを示す番号である。
【００７２】
位置決めボタンは、位置決めボタン１７の状態を示し、押下された状態であればＯＮ、押下されていない状態であればＯＦＦである。読取ボタンは、読取ボタン１８の状態を示し、押下された状態であればＯＮ、押下されていない状態であればＯＦＦである。
【００７３】
投光部は、投光部１２の点灯／消灯を示し、点灯状態であればＯＮ、消灯状態であればＯＦＦである。同期信号（左）は、駆動部が出力する信号であり、読取光の照射角が左端になったときＯＮとなり、左端以外ではＯＦＦである。同期信号（右）は、駆動部が出力する信号であり、読取光の照射角が右端になったときＯＮとなり、右端以外ではＯＦＦである。
【００７４】
受光部は、受光部１９の状態を示し、ＯＮであれば光学情報で反射された反射光を受光して電気信号に変換し、ＯＦＦであれば変換しない。復号部は、受光部１９からの電気信号に基づいて光学情報を復号し、光学情報として正しく読み取れているかを確認する。
【００７５】
復号結果は、復号部の確認結果を示し、正常は正しく読み取れている、異常は正しく読み取れていないことを示す。復号結果が正常のとき、復号した情報が記憶部２０に追加記憶される。記憶部２０は複数の情報を記憶でき、先入れ先出し方式で追加記憶する。なお、本実施の形態では、３個の情報を記憶できるものとして説明する。
【００７６】
判定部は、記憶部２０に記憶されている複数の情報が一致しているかを確認する。すべ
ての情報が一致していれば一致を出力し、一致していなければ不一致を出力する。なお、本実施の形態では照合部が一致のとき、表示部１５に情報を出力するものとする。
【００７７】
次にフェーズ番号順に従い、読取動作を説明する。フェーズ０は、光学情報読取装置１が光学情報の読取が可能であり、操作者の操作を待っている状態である。位置決めボタンは、ＯＦＦである。読取ボタンは、ＯＦＦである。投光部は、ＯＦＦである。同期信号（左）は、ＯＦＦである。同期信号（右）は、ＯＦＦである。受光部は、ＯＦＦである。復号部は、ＯＦＦである。復号結果は、異常である。判定部は、不一致である。
【００７８】
フェーズ１は、操作者が光学情報読取装置１を右手で持ち、位置決めボタン１７を操作する。なお、フェーズ１以降は、前フェーズから変化する部分を説明する。位置決めボタンがＯＮとなる。位置決めボタンのＯＮにより、投光部１２と駆動部が起動する。
【００７９】
フェーズ２は、操作者が位置決めボタン１７を押下したまま、光学情報読取装置１を読取り位置に移動させ始める。駆動部は起動し同期信号がＯＮとなり、その後ＯＦＦとなる。同期信号（左）のＯＮと同期して、投光部１２がＯＮとなる。投光部１２は、位置決めボタン１７が押下され、読取ボタン１８が押下されていない間は読取光を短いパルス状に照射する。
【００８０】
フェーズ３は、操作者が位置決めボタン１７を押下したまま、光学情報読取装置１を読取り位置に移動させる。駆動部の同期信号（右）がＯＮとなり、その後ＯＦＦとなる。同期信号（右）はＯＮとなるが、読取ボタン１８が押下されていないので、復号部はＯＦＦのままである。また、投光部１２は読取光を短いパルス状に照射するので光学情報の全域から反射光を受光できない。
【００８１】
なお、操作者が位置決めボタン１７を押下し、読取ボタン１８を押下しない状態であれば、光学情報読取装置１はフェーズ２とフェーズ３を繰り返す。フェーズ４は、操作者が光学情報読取装置１を読取位置に移動させ終わり、その位置に保持し、位置決めボタン１７と読取ボタン１８を押下する。
【００８２】
駆動部の同期信号（左）のＯＮと同期して、投光部１２と受光部１９がＯＮとなる。この時以降、投光部１２は読取光を長いパルス状に照射するので、光学情報の読取が可能となる。フェーズ５は、操作者が光学情報読取装置１を読取位置に保持し、位置決めボタン１７と読取ボタン１８を押下している。
【００８３】
同期信号（左）のＯＮと同期して、復号部がＯＮとなり投光部１２と受光部１９がＯＦＦとなる。フェーズ６は、操作者が光学情報読取装置１を読取位置に保持し、位置決めボタン１７と読取ボタン１８を押下している。同期信号（右）のＯＮと同期して、復号部がＯＦＦとなり投光部１２と受光部１９がＯＮとなる。復号結果は、正常となり復号した情報を記憶部２０に追加記憶する。
【００８４】
フェーズ７とフェーズ９は、フェーズ５と同じ処理を実行する。また、フェーズ８とフェーズ１０は、フェーズ６と同じ処理を実行する。フェーズ５とフェーズ６、フェーズ７とフェーズ８、フェーズ９とフェーズ１０の組み合わせを３回行うことにより、記憶部２０に３個の情報が記憶される。フェーズ１０において、判定部が記憶部２０に記憶されている３個の情報が一致しているかを確認し、すべての情報が一致していれるので一致を出力する。判定部に連動して、記憶部２０の情報のうちの１個が表示部１５に表示される。
【００８５】
フェーズ１１において、判定部の一致により、駆動部は同期信号（右）のＯＮと同期して停止する。この結果、同期信号（左）と同期信号（右）はＯＦＦを保持し、投光部、受
光部、復号部もＯＦＦとなる。
【００８６】
フェーズ１２は、操作者が位置決めボタン１７と読取ボタン１８を押下しない状態となる。フェーズ１３は、操作者が表示部１５の内容を確認し、読取結果が正しければ確キー、正しくなければ訂キーを押下する。確キーを押下することにより、情報が外部機器に出力される。
以上説明したように、本発明の光学情報読取装置１によれば、位置決めボタン１７に連動して、投光部１２を読取光をパルス状に照射する状態とすることができる。また、読取ボタン１８に連動して、受光部１９と復号部２２と記憶部２０と判定部２３の処理を開始させることができる。
【００８７】
位置決めボタン１７だけを押下している間は、受光部１９と復号部２２と記憶部２０と判定部２３が処理を停止しているで、操作者が誤って光学情報の上を読取光でなぞることがあっても読み取られることがない。
【００８８】
この結果、読取光をガイド光として使用することができる。また、読取ボタン１８が押下された後は、長いパルス状とするので、操作者は読取ボタン１８が押下されて読取可能になったことを目視で認識できる。さらに、投光部の点灯時間を短縮できるので、電池の消耗を減らすとともに操作者の目の負担を軽減することができる。
【００８９】
なお、上記実施の形態では、読取ボタン１８を押下してから読取が完了するまで読取光をパルス状に照射しているが、読取ボタン１８が押下された以降は読取光を点灯状態に保持してもよい。
【００９０】
本実施の形態では、位置決めボタン１７と読取ボタン１８の２個のボタンを設けているが、少なくとも無押・半押・全押の３つの状態を出力するボタン１個の設け、無押の時は位置決めボタンと読取ボタンが押下されていない場合の動作を行い、半押の時は位置決めボタンが押下された場合の動作を行い、全押の時は読取ボタンが押下された場合の動作を行うようにしてもよい。
また、少なくとも３つの状態を出力するダイヤル式のスイッチを１個設けて制御してもよい。ボタンの数を減らすことで、製造コストを削減するとともに装置の小型化を実現できる。
【００９１】
（実施の形態３）
本発明の光学情報読取装置について説明する。なお、実施の形態１および実施の形態２と同じ内容の部分は説明を省略する。図９は、光学情報読取装置のブロック構成図を示す図である。図９において、１は本発明の光学情報読取装置である。
【００９２】
１１の制御部、１２の投光部、１３の駆動部、１４のキー入力部、１５の表示部、１６の通信部、１９の受光部、２０の記憶部、２１のタイマー、２２の復号部、２３の判定部は、実施の形態１と同じ内容の部分は説明を省略する。１７は、光学情報読取装置１を光学情報を読み取る位置に移動させる時に押下する位置決めボタンであり、例えばタップスイッチを使用する。操作者が位置決めボタン１７を押下することで読取光が照射され、受光部１９から復号部２２までが起動する。
【００９３】
操作者は光学情報読取装置１を光学情報を読み取る位置に保持することができる。ただし、判定部２３は起動しないので、表示部１５に復号した情報は表示されない。
【００９４】
１８は、光学情報を読み取る時に押下する読取ボタンであり、例えばタップスイッチを使用する。操作者は光学情報読取装置１を読取対象となる光学情報を読み取り可能な位置
に保持した状態で読取ボタン１８を押下する。読取ボタン１８を押下することで、判定部２３が起動し判定処理が実行され読取結果が外部機器に出力される。
光学情報読取装置の外観図は、実施の形態２と同じなので説明を省略する。光学情報読取装置の読取状態および読取光の照射状態は、実施の形態１と同じなので説明を省略する。
【００９５】
次に光学情報読取装置１の読取動作について、操作者が光学情報読取装置１を持ち上げてから光学情報の読取を完了し、外部機器に情報を出力するまでを説明する。図１０は、光学情報読取装置の読取動作のタイミングチャートを示す図である。左列の項目から先に説明する。
【００９６】
フェーズ番号は、読取動作のフェーズを示す番号である。位置決めボタンは、位置決めボタン１７の状態を示し、押下された状態であればＯＮ、押下されていない状態であればＯＦＦである。読取ボタンは、読取ボタン１８の状態を示し、押下された状態であればＯＮ、押下されていない状態であればＯＦＦである。
【００９７】
投光部は、投光部１２の点灯／消灯を示し、点灯状態であればＯＮ、消灯状態であればＯＦＦである。同期信号（左）は、駆動部が出力する信号であり、読取光の照射角が左端になったときＯＮとなり、左端以外ではＯＦＦである。
【００９８】
同期信号（右）は、駆動部が出力する信号であり、読取光の照射角が右端になったときＯＮとなり、右端以外ではＯＦＦである。受光部は、受光部１９の状態を示し、ＯＮであれば光学情報で反射された反射光を受光して電気信号に変換し、ＯＦＦであれば変換しない。
【００９９】
復号部は、受光部１９からの電気信号に基づいて光学情報を復号し、光学情報として正しく読み取れているかを確認する。復号結果は、復号部の確認結果を示し、正常は正しく読み取れている、異常は正しく読み取れていないことを示す。復号結果が正常のとき、復号した情報が記憶部２０に追加記憶される。記憶部２０は複数の情報を記憶でき、先入れ先出し方式で追加記憶する。なお、本実施の形態では、３個の情報を記憶できるものとして説明する。
【０１００】
判定部は、記憶部２０に記憶されている複数の情報が一致しているかを確認する。すべての情報が一致していれば一致を出力し、一致していなければ不一致を出力する。なお、本実施の形態では照合部が一致のとき、表示部１５に情報を出力するものとする。
【０１０１】
次にフェーズ番号順に従い、読取動作を説明する。フェーズ０は、光学情報読取装置１が光学情報の読取が可能であり、操作者の操作を待っている状態である。位置決めボタンは、ＯＦＦである。読取ボタンは、ＯＦＦである。投光部は、ＯＦＦである。同期信号（左）は、ＯＦＦである。同期信号（右）は、ＯＦＦである。受光部は、ＯＦＦである。復号部は、ＯＦＦである。復号結果は、異常である。判定部は、不一致である。
【０１０２】
フェーズ１は、操作者が光学情報読取装置１を右手で持ち、位置決めボタン１７を操作する。なお、フェーズ１以降は、前フェーズから変化する部分を説明する。位置決めボタンがＯＮとなる。位置決めボタンのＯＮにより、投光部１２と駆動部と受光部１９と記憶部２０と復号部２２が起動する。
【０１０３】
フェーズ２は、操作者が位置決めボタン１７を押下したまま、光学情報読取装置１を読取り位置に移動させ始める。駆動部は起動し同期信号がＯＮとなり、その後ＯＦＦとなる。同期信号（左）のＯＮと同期して、投光部１２と受光部１９がＯＮとなる。投光部１２は、位置決めボタン１７が押下された直後の数秒間は読取光を短いパルス状に照射する。
【０１０４】
フェーズ３は、操作者が位置決めボタン１７を押下したまま、光学情報読取装置１を読取り位置に移動させる。駆動部の同期信号（右）がＯＮとなり、その後ＯＦＦとなる。同期信号（右）はＯＮと同期して、復号部２２がＯＮとなる。しかし、投光部１２は読取光を短いパルス状に照射するので光学情報の全域から反射光を受光できないので、記憶部２０と復号部２２は起動するが復号結果が正常となることはない。
【０１０５】
フェーズ４は、操作者が光学情報読取装置１を読取位置に移動させ終わり、その位置に保持し、位置決めボタン１７を押下する。駆動部の同期信号（左）のＯＮと同期して、投光部１２と受光部１９がＯＮとなる。この時以降、投光部１２は読取光を長いパルス状に照射するので、光学情報の読取が可能となる。フェーズ５は、操作者が光学情報読取装置１を読取位置に保持し、位置決めボタン１７を押下している。
【０１０６】
同期信号（左）のＯＮと同期して、復号部がＯＮとなり投光部１２と受光部１９がＯＦＦとなる。フェーズ６は、操作者が光学情報読取装置１を読取位置に保持し、位置決めボタン１７を押下している。
【０１０７】
同期信号（右）のＯＮと同期して、復号部がＯＦＦとなり投光部１２と受光部１９がＯＮとなる。復号結果は、正常となり復号した情報を記憶部２０に追加記憶する。なお、操作者が位置決めボタン１７を押下し、読取ボタン１８を押下しない状態であれば、光学情報読取装置１はフェーズ５とフェーズ６を繰り返す。
【０１０８】
フェーズ７は、フェーズ５と同じ処理を実行する。また、フェーズ８は、フェーズ６と同じ処理を実行する。フェーズ９は、操作者が光学情報読取装置１を読取位置に保持し、位置決めボタン１７と読取ボタン１８を押下する。同期信号（左）のＯＮと同期して、復号部がＯＮとなり投光部１２と受光部１９がＯＦＦとなる。
【０１０９】
フェーズ１０は、操作者が光学情報読取装置１を読取位置に保持し、位置決めボタン１７と読取ボタン１８を押下している。同期信号（右）のＯＮと同期して、復号部がＯＦＦとなり投光部１２と受光部１９がＯＮとなる。復号結果は、正常となり復号した情報を記憶部２０に追加記憶する。
【０１１０】
フェーズ５とフェーズ６、フェーズ７とフェーズ８、フェーズ９とフェーズ１０の組み合わせを３回行うことにより、記憶部２０に３個の情報が記憶される。フェーズ１０において、読取ボタン１８が押下していることにより、判定部２３が起動し、判定部２３が記憶部２０に記憶されている３個の情報が一致しているかを確認し、すべての情報が一致していれるので一致を出力する。判定部に連動して、記憶部２０の情報のうちの１個が表示部１５に表示される。
【０１１１】
フェーズ１１において、判定部の一致により、駆動部は同期信号（右）のＯＮと同期して停止する。この結果、同期信号（左）と同期信号（右）はＯＦＦを保持し、投光部、受光部、復号部もＯＦＦとなる。フェーズ１２は、操作者が位置決めボタン１７と読取ボタン１８を押下しない状態となる。
【０１１２】
フェーズ１３は、操作者が表示部１５の内容を確認し、読取結果が正しければ確キー、正しくなければ訂キーを押下する。確キーを押下することにより、情報が外部機器に出力される。
【０１１３】
以上説明したように、本発明の光学情報読取装置１によれば、位置決めボタン１７に連動して、投光部１２と受光部１９と復号部２２と記憶部２０との処理を開始させ、読取光
をパルス状に照射する状態とすることができる。また、読取ボタン１８に連動して判定部２３の処理を開始させることができる。
【０１１４】
位置決めボタン１７だけを押下している間は、判定部２３が処理を停止しているで、操作者が誤って光学情報の上を読取光でなぞることがあっても読み取られることがない。
通常、操作者は光学情報読取装置１を読取位置に保持してから読取ボタン１８を押下するので、読取ボタン１８を押下する直前は光学情報の読取が可能である。位置決めボタン１７に連動して、投光部１２と受光部１９と復号部２２と記憶部２０との処理を開始させることで、読取ボタン１８を押下する直前の読取結果を有効に使用し、読取ボタン１８を押下してから読取結果が表示部１５に表示されるまでの時間を短縮することができる。
【０１１５】
この結果、読取光をガイド光として使用しつつ、読取のレスポンスを向上させることができる。さらに、投光部の点灯時間を短縮できるので、電池の消耗を減らすとともに操作者の目の負担を軽減することができる。
【０１１６】
なお、上記実施の形態では、読取ボタン１８を押下してから読取が完了するまで読取光をパルス状に照射しているが、読取ボタン１８が押下された以降は読取光を点灯状態に保持してもよい。
【０１１７】
本実施の形態では、位置決めボタン１７と読取ボタン１８の２個のボタンを設けているが、少なくとも無押・半押・全押の３つの状態を出力するボタン１個の設け、無押の時は位置決めボタンと読取ボタンが押下されていない場合の動作を行い、半押の時は位置決めボタンが押下された場合の動作を行い、全押の時は読取ボタンが押下された場合の動作を行うようにしてもよい。
【０１１８】
また、少なくとも３つの状態を出力するダイヤル式のスイッチを１個設けて制御してもよい。ボタンの数を減らすことで、製造コストを削減するとともに装置の小型化を実現できる。
【０１１９】
また、位置決めボタン１７を２つ設け、各々１つの位置決めボタンが押下された場合は位置決めボタン１７が押下された場合の動作を行い、２つの位置決めボタン１７が同時に押下された場合は読取ボタン１８が押下された場合の動作を行うようにしてもよい。
【産業上の利用可能性】
【０１２０】
本発明の光学情報読取装置は、読取位置決めの操作性を非常に簡単な構成で向上でき、また、操作者の目の負荷を軽減することができるので、光学情報読取装置などに有用である。
【図面の簡単な説明】
【０１２１】
【図１】光学情報読取装置のブロック構成図を示す図
【図２】（ａ）光学情報読取装置の外観図の左側面図（ｂ）光学情報読取装置の外観図の上面図（ｃ）光学情報読取装置の外観図の右側面図
【図３】（ａ）光学情報読取装置の読取状態を示す上面図（ｂ）光学情報読取装置の読取状態を示す左側面図
【図４】（ａ）読取光の照射状態を示す投光部１２と駆動部の上面図（ｂ）読取光の照射状態を示す同期信号と読取光の照射角度と投光部制御のタイミングチャート
【図５】光学情報読取装置の読取動作のタイミングチャート
【図６】光学情報読取装置のブロック構成図を示す図
【図７】（ａ）光学情報読取装置の外観図の左側面図（ｂ）光学情報読取装置の外観図の上面図（ｃ）光学情報読取装置の外観図の右側面図
【図８】光学情報読取装置の読取動作のタイミングチャート
【図９】光学情報読取装置のブロック構成図を示す図
【図１０】光学情報読取装置の読取動作のタイミングチャート
【符号の説明】
【０１２２】
１  光学情報読取装置
１１  制御部
１２  投光部
１４  キー入力部
１５  表示部
１６  通信部
１７  位置決めボタン
１８  読取ボタン
１９  受光部
２０  記憶部
２１  タイマー
２２  復号部
２３  判定部
２４  電池検出部
３０  読取口
４１、４２、４３  光学情報（バーコード）
１３１  ミラー
【図１】
2005165803.tif 000003
【図２】
2005165803.tif 000004
【図３】
2005165803.tif 000005
【図４】
2005165803.tif 000006
【図５】
2005165803.tif 000007
【図６】
2005165803.tif 000008
【図７】
2005165803.tif 000009
【図８】
2005165803.tif 000010
【図９】
2005165803.tif 000011
【図１０】
2005165803.tif 000012